(57)【要約】【課題】天井等に吹き付けられたアスベストを、スムース且つ万遍なく剥離することができながら、バグフィルター型集塵機の大きな吸引風量により剥離したアスベストを吸引しながら、サイクロン型分離機により分離回収すること。【解決手段】  アスベスト吹き付け面に対して、重曹粉末をノズル２によって吹き付ける重曹噴射手段１と、前記ノズル２の近傍位置に設けた吸引フード３と、前記吸引フード３にダクト６を介して連結されたバグフィルター型集塵機４と、該バグフィルター集塵機４と前記吸引フード３との間に介装されたサイクロン型分離機５とから構成されている。【選択図】図１
2007211572.tif 000002
【特許請求の範囲】
【請求項１】
吹き付けされたアスベストを剥離除去するアスベスト剥離除去装置であって、
アスベスト吹き付け面に対して、圧縮空気により加圧された重曹粉末をノズル２によって吹き付ける重曹噴射手段１と、
前記ノズル２の近傍位置に設けた吸引フード３と、
前記吸引フード３にダクト６を介して連結されたバグフィルター型集塵機４と、
該バグフィルター集塵機４と前記吸引フード３との間に介装されたサイクロン型分離機５とから構成され、
剥離されたアスベストを前記サイクロン型分離機５及び前記バグフィルター型集塵機４から回収するように構成してあることを特徴とするアスベスト剥離除去装置。
【請求項２】
前記吸引フード３は、開口部３Ａが末広がりの円筒状体３Ｂで構成され、前記ノズル２が、開口部３Ａの奥側で、前記円筒状体３Ｂと略同軸心状に内装されていることを特徴とする請求項１のアスベスト剥離除去装置。
【請求項３】
前記吸引フード３は、複数個所において曲折自在に構成され、且つ自走可能に構成されたアームフード７に設けられていることを特徴とする請求項１又は請求項２のアスベスト剥離除去装置。
【請求項４】
前記バグフィルター型集塵機４は、エアーパルスによるバグの振動払い落とし機能を備えており、且つ、その処理風量が２０ｍ３／ｍｉｎ以上である請求項１乃至請求項３のアスベスト剥離除去装置。
【発明の詳細な説明】
【技術分野】
【０００１】  本発明は、建築物等に吹き付けされたアスベストを剥離除去するところのアスベスト剥離除去装置に関する。
【背景技術】
【０００２】  昨今、アスベスト公害が問題となっている。建造物等に吹きつけられアスベストは、そのままの状態でも、空気中に飛散する虞が極めて高く、速やかに除去することが求められている。【０００３】  吹き付けられたアスベストの剥離除去技術として、アスベストが吹き付けられた天井等を区画した状態で剥離を行い、吸引除去する方法や、アスベスト床タイルを電動ハンマーとビット（刃）とで剥離し吸引する方法等があり、こうした剥離除去に伴い発生する粉塵を吸引するファンとフィルターとを備えた除塵装置も開発されている。【０００４】  こうしたアスベストの剥離除去技術については、次の文献を挙げることができる。
【特許文献１】特開平８−２８０２７。
【特許文献２】特開２００１−４０８８４。
【特許文献３】実用新案登録第３１１７９４７号。
【発明の開示】
【発明が解決しようとする課題】
【０００５】  上述した従来技術にあっては、吹き付けられたアスベストの剥離は、基本的には手作業であり、機械的に行う場合もあるが、何れの場合もビット（刃）、或いはこれに類する掻き取り具を用いて行うので、剥離が万遍なく、綺麗に行い難いという問題があった。
また、ビット等を用いて掻き取るので、天井、壁面、床面等、吹き付けられた土台が傷つけられるという問題もある。【０００６】  更に、剥離したアスベストを回収するのに、吸引風量の小さな小型のファンを用いており、また、単なるフィルターを介して、ろ過する方法を採っているので、直ぐにフィルターが目詰まりを起こし、機能しなくなるという問題もある。【０００７】  本発明は、天井等に吹き付けられたアスベストを、ビット等を用いる機械的剥離でなく、よりスムース且つ万遍なく剥離することができながら、バグフィルター型集塵機の大きな吸引風量により剥離したアスベストを吸引しながら、サイクロン型分離機により分離回収することができるところのアスベスト剥離除去装置を提供することを目的とする。
【課題を解決するための手段】
【０００８】  本発明にかかるアスベスト剥離除去装置は、上記目的を達成するために、吹き付けされたアスベストを剥離除去するアスベスト剥離除去装置であって、
アスベスト吹き付け面に対して、圧縮空気により加圧された重曹粉末をノズル２によって吹き付ける重曹噴射手段１と、
前記ノズル２の近傍位置に設けた吸引フード３と、
前記吸引フード３にダクト６を介して連結されたバグフィルター型集塵機４と、該バグフィルター型集塵機４と前記吸引フード３との間に介装されたサイクロン型分離機５とから構成され、
剥離されたアスベストを前記サイクロン型分離機５と前記バグフィルター型集塵機４から回収するように構成してある、という手段を講じたものである。
【発明の効果】
【０００９】  本発明にかかるアスベスト剥離除去装置によれば、天井等に吹き付けられたアスベストを、ビット等を用いる機械的剥離でなく、重曹粉末を空気圧でもってノズルから噴射することにより、よりスムース且つ万遍なく剥離することができながら、そのノズル近傍に設けた吸引フードにより、剥離したアスベストを、バグフィルター型集塵機の大きな吸引風量により吸引しながら、途中に介在させたサイクロン型分離機でもって剥離アスベストの大きなものは分離回収することができ、バグフィルター型集塵機のバグフィルターの詰まりを抑制しながら、そのアスベスト微粉はこのバグフィルターで捕集し、回収することができる。これによって剥離工事に伴うアスベストの飛散を抑えることができる利点がある。
【発明を実施するための最良の形態】
【００１０】  本発明の実施に際しては、前記吸引フード３が、開口部３Ａが末広がりの円筒状体３Ｂで構成され、前記ノズル２が、開口部３Ａの奥側で、前記円筒状体３Ｂと略同軸心状に内装されていることが好ましい。
このように構成することで、剥離されたアスベストは前記吸引フード３を介して直ちに吸引され、この際、ノズル２が末広がりの開口部３Ａの奥側に位置されていることで、開口部３Ａにおいて、ノズル２の周囲で負圧空間が形成されて、剥離されたアスベストをこの空間に取り込んで、ダクト６を介してサイクロン型分離機５に導くことができる。【００１１】  また、前記吸引フード３が、複数個所において曲折自在に構成され、且つ自走可能に構成されたアームフード７に設けられているのが好ましい。
このアームフード７に吸引フード３を設けることで、作業者が手で吸引フード３を操作するのではなく、リモートコントロールの機械操作でもって、所要の高さ位置、角度の向きに、ノズル２を向けて剥離作業を行うと共に剥離したアスベストを吸引することができる。【００１２】  更に、前記バグフィルター型集塵機４が、エアーパルスによるバグの振動払い落とし機能を備えており、且つ、その処理風量が２０ｍ３／ｍｉｎ以上であるのが好ましい。
このように、バグの振動払い落としによって、早期の詰まりを回避し、また、払い落としたアスベスト微粉を、このバグフィルター型集塵機４から取り出して回収することができる。
そして、このバグフィルター型集塵機４が、その処理風量が２０ｍ３／ｍｉｎという、これまでとは格段の風量でもって吸引することで、吸引フード３を介して前記アスベスト剥離微粉を確実にサイクロン型分離機に導き、次いで、このバグフィルター型集塵機４において捕集することができる。
【実施例１】
【００１１】  本発明にかかるアスベスト剥離除去装置の好適実施例について、図面を参照して以下詳述する。図１に示すのは、装置の全体を示す正面図である。
壁面に吹き付けされたアスベストに対して、圧縮空気により加圧された重曹粉末をノズル２によって吹き付ける重曹噴射手段１が設けられる。この重曹噴射手段１は、それ自体公知のもので、加圧タンク１Ａに重曹粉末を装填し、コンプレッサー１Ｂから加圧エアーを送り込み、タンク１Ａに備えられたバルブを介して適量排出される重曹粉末を加圧エアーで送り出し、ノズル２から噴射するように構成されている。この重曹噴射手段１は、それ自体公知のものであり、例えば、ＰＭＢ（商標名）と呼ばれるブラスターが用いられる。【００１２】  前記ノズル２の近傍位置に設けた吸引フード３が設けられている。図２に示すように、この吸引フード３は、開口部３Ａが末広がりの円筒状体３Ｂで構成され、前記ノズル２が、開口部３Ａの奥側で、前記円筒状体３Ｂと略同軸心状に内装されている。
そして、この吸引フード３には、可撓性のダクト６が連結され、このダクト６は剛性のダクトとなって、サイクロン型分離機５に繋がっている。５Ａは、サイクロン型分離機５の下方に設けた開閉ダンパーである。このサイクロン型分離機５において分離されたアスベスト（大き目のもの）が、前記開閉ダンパー５Ａの開き操作により、下方から取り出され、合成樹脂製の密封袋１０に回収される。【００１３】  前記サイクロン型分離機５は、ダクト６を介してバグフィルター型集塵機４に繋がれている。このバグフィルター型集塵機４は、エアーパルスによるバグ（ろ布）の振動払い落とし機能を備えており、且つ、その処理風量が２０ｍ３／ｍｉｎのものである。１１は、バグフィルター型集塵機４において払い落とされたアスベストを回収する回収袋であり、上記密封袋１０と実質的に同じものである。【００１４】  図１において、１２は、バグフィルター型集塵機４のための排風機（ブロアー）であり、上記した処理風量が２０ｍ３／ｍｉｎのものである。１３は、小型のフィルターであって、前記バグフィルター型集塵機４と排風機１２との間に介装されている。１４は、排風を大気に逃がすサイレンサーであり、１５は、ディーゼルエンジン駆動の発電機であって、アスベスト吹き付けの敷設建造物近傍において、この装置を稼動させるに必要な電力を供給するためのものである。【００１５】  このように構成されているので、アスベスト吹きつけ現場において剥離作業を行うに、図１に示すように、バグフィルター型集塵機４を稼動させ、重曹噴射手段１の加圧エアーを供給した状態において、作業者が吸引フード３を持ち、壁に向かって重曹粉末を吹き付ける。尚、天井等では、足場を組んで、この上に載り、作業を行う。これにより剥離されたアスベストは、吸引フード３に吸引され、ダクト６を通過してサイクロン型分離機５に至る。【００１６】  ここで、アスベストの粗め目のものはサイクロンによって下方に沈降し、下方の開閉ダンパー５Ａを解放して、密封袋１０に捕集される。そして、残渣、即ち微粉のアスベストは、ダクト６を介してバグフィルター型集塵機４に至り、ろ過される。
このバグフィルター型集塵機４は、エアーパルスによって、ろ布が定期的に振動払い落としを受け、ろ布の目詰まりが解消され、払い落とされたアスベスト微粉は、下方から取り出されて、回収袋１１により捕集される。
これらの密封袋１０、回収袋１１は、その後、適宜の処理工程によって処理される。【００１７】  図３及び図４は、重曹噴射手段１の一部改変例を示すもので、前記吸引フード３は、複数個所、ここでは、３ヶ所において曲折自在に構成され、且つ自走可能に構成されたアームフード７に設けられている。
このアームフード７は、下部に電動モーターを備えた自走手段７ｅが設けられ、各アーム部分７Ａ，７Ｂ，７Ｃは、図４に示すように、サーボモーター７ａ，７ｂ，７ｃによって旋回操作される。これらの走行、アーム部分の操作は、リモートコントロールによって行われるように構成されている。７ｄは、アーム全体を旋回させる旋回モーターである。【００１８】  このように、アームフード７を備えることで、高い天井、壁面に対して、適宜の場所からリモート操作でもって、剥離を行うことができる。
【産業上の利用可能性】
【００１９】  本発明にかかるアスベスト剥離除去装置は、重曹粉末の噴射により剥離したアスベストを、サイクロン型分離機とバグフィルター型集塵機とによって捕集する方式であるので、手作業による掻き取りを用いた剥離或いは機械的に掻き取る方式に比べて、吹き付け面全域に対してスムースに剥離を行い得ると共に粉塵飛散を防止できるので、既存の建造物に対するアスベスト剥離除去に適用できる。
【図面の簡単な説明】
【００２０】
【図１】本発明に係るアスベスト剥離除去装置の全体正面図。
【図２】本発明に係るアスベスト剥離除去装置の要部の縦断側面図。
【図３】本発明に係るアスベスト剥離除去装置の一部改変例の正面図。
【図４】本発明に係るアスベスト剥離除去装置の要部の縦断側面図。
【符号の説明】
【００２１】１：重曹噴射手段
２：ノズル
３：吸引フード
３Ａ：開口部
３Ｂ：円筒状体
４：バグフィルター型集塵機
５：サイクロン型分離機
６：ダクト
７：アームフード
【図１】
2007211572.tif 000003
【図２】
2007211572.tif 000004
【図３】
2007211572.tif 000005
【図４】
2007211572.tif 000006